(57)【要約】【課題】移動体の位置情報を取得したときに位置情報が誤っているか否かを判定し、誤った位置情報では移動体の移動を判定しない位置情報監視システムを提供する。【解決手段】移動体の位置情報を監視して該位置情報の変化に基づき移動体の移動を判定する位置情報監視システムにおいて、位置検出部にて取得した位置情報のうち、最新の位置情報と過去の位置情報を比較し、それぞれの位置情報が示す地点間の距離に基づき最新の位置情報の良否を判定する。そして、この判定により「良」と判定された位置情報に基づいて移動体の移動を判定する。【選択図】図５
2005107876.tif 000002
【特許請求の範囲】
【請求項１】
移動体の位置情報を監視して該位置情報の変化に基づき前記移動体の移動を判定する位置情報監視システムであって、
位置情報を取得する位置検出部と、
前記位置検出部にて取得された位置情報を記憶する位置記憶部と、
最新の位置情報と過去の位置情報とを比較して各々の位置情報が示す地点間の距離に基づき前記最新の位置情報の良否を判定する良否判定部と、
前記判定部にて良と判定された位置情報に基づき移動体の移動を判定する移動判定部と、
を備えることを特徴とした位置情報監視システム。
【請求項２】
前記良否判定部は、前記最新の位置情報と前記過去の位置情報とを比較した結果、前記最新の位置情報が否と判定された場合は、該最新の位置情報を前記過去の位置情報と異なる時刻に取得した位置情報と比較して再度前記最新の位置情報の良否を判定する請求項１記載の位置情報監視システム。
【請求項３】
更に、位置情報の監視動作を開始及び停止に設定する監視設定手段を備え、
前記移動判定部は、前記監視設定手段にて監視動作が開始設定された時の位置情報を前記位置記憶部に記憶した後、前記良否判定部にて良と判定される位置情報を監視して、該良と判定される位置情報が前記監視動作開始時の位置情報と所定距離以上離れたときに移動体の移動を判定して異常信号を出力する請求項１または２に記載の位置情報監視システム。
【発明の詳細な説明】
【技術分野】
【０００１】
本発明は、移動体の位置情報を取得して、移動体の位置や移動の有無、移動状況を監視する位置情報監視システムに関する。
【背景技術】
【０００２】
従来、移動体通信網の基地局情報やＧＰＳ信号に基づき位置座標を含んだ位置情報を取得する携帯端末を移動体に携行させ、携帯端末が取得した位置情報により移動体の移動状況や現在位置を監視するシステムが知られている。
この従来のシステムでは、位置情報を取得するときの状況、すなわちＧＰＳ衛星の配置状況、移動体通信基地局の配置状況、電波伝播状況などにより、取得した位置情報の精度を表す量である誤差の量が変動する。
【０００３】
このため、位置情報の取得状況に応じて所定の誤差範囲を設定し、かかる誤差範囲を考慮して移動の有無を適切に判定するものとして、例えば、特許文献１に示す移動体監視システムがある。この移動体監視システムでは、位置情報のみを使用した移動判定とせずに、異なる時刻に取得する複数の位置情報を中心とした誤差範囲の間において、互いに重複がない場合に移動体の移動と判定している。
【０００４】
【特許文献１】国際公開第０２／０３５４９２号パンフレット
【発明の開示】
【発明が解決しようとする課題】
【０００５】
しかしながら、位置情報の取得状況が著しく劣悪である場合や、データ化けなどの不測の事態が生じた場合等に、移動体の現在の存在位置から大きく離れた位置情報を取得してしまうことが稀にある。
特許文献１記載の移動体監視システムでは、このような、稀に生じる位置情報についての大きな誤差は想定されていない。この場合、誤差範囲が想定されている範囲にとどまり、移動体の移動状況や現在位置を誤って判定をしてしまうという問題があった。
また、特許文献１記載の移動体監視システムにおいて、このような稀に生じうる大きな誤差を想定して、位置情報に予め大きな誤差範囲を設定すると、移動体が移動しても、誤差範囲の重複がなくなるまで時間がかかり移動体の移動を判定するのが遅れるおそれがあった。特に、位置情報を間欠的に取得して移動体の盗難等を検出するシステムの場合には、対応が遅れてしまい重大な事案となるおそれがあった。
【０００６】
そこで本発明は、上述した課題を解決するために、位置情報を取得したときに位置情報の良否を判定して位置情報が誤っているか否かを出力し、誤った位置情報による移動の判定を防止する位置情報監視システムを提供することを目的としている。
【課題を解決するための手段】
【０００７】
上記目的を達成するために、本発明による位置情報監視システムは、移動体の位置情報を監視して該位置情報の変化に基づき前記移動体の移動を判定する位置情報監視システムであって、位置情報を取得する位置検出部と、前記位置検出部にて取得された位置情報を記憶する位置記憶部と、最新の位置情報と過去の位置情報とを比較して各々の位置情報が示す地点間の距離に基づき前記最新の位置情報の良否を判定する良否判定部と、前記判定部にて良と判定された位置情報に基づき移動体の移動を判定する移動判定部と、を備えることを特徴としている。
【０００８】
また、好ましくは、前記良否判定部は、前記最新の位置情報と前記過去の位置情報とを比較した結果、前記最新の位置情報が否と判定された場合は、該最新の位置情報を前記過去の位置情報と異なる時刻に取得した位置情報と比較して再度前記最新の位置情報の良否を判定する。
【０００９】
また、好ましくは、更に、位置情報の監視動作を開始及び停止に設定する監視設定手段を備え、前記移動判定部は、前記監視設定手段にて監視動作が開始設定された時の位置情報を前記位置記憶部に記憶した後、前記良否判定部にて良と判定される位置情報を監視して、該良と判定される位置情報が前記監視動作開始時の位置情報と所定距離以上離れたときに移動体の移動を判定して異常信号を出力する。
【発明の効果】
【００１０】
本発明の位置情報監視システムによれば、単純な比較処理によって位置情報の良否を判定することができ、誤った位置情報による移動の判定を防止することが可能となる。
また、位置情報の良否を判定する際に、最新の位置情報の比較対象となる過去の位置情報が誤った位置を示す位置情報であっても、この過去の位置情報との比較処理によって最新の位置情報が否と判定された場合には、再度異なる比較対象と比較した上で最新の位置情報の良否を判定する構成としたので、位置情報の良否を精度よく判定することができる。
【発明を実施するための最良の形態】
【００１１】
以下、本発明による位置情報監視システムの実施の形態を図面を参照して具体的に説明する。
図１は本発明の位置情報監視システムの全体構成を示す図である。本発明の位置情報監視システムは、移動体５０に付帯する携帯端末１が取得した位置情報をセンタ装置３に送信して、センタ装置３により移動体５０の位置や移動状況を管理するものである。なお、本発明において、移動体とは、自動車・バイク・自転車・人・ペット・カバン・金庫・美術品・貴金属などを対象とし、不動産のように移動しない物を除き全てを含む概念である。
【００１２】
携帯端末１は、ＧＰＳ衛星６から受信したＧＰＳ信号や携帯電話基地局４から受信した基地局情報に基づいて緯度経度からなる位置情報を算出して記憶する。携帯端末１が記憶した位置情報は所定のタイミングでセンタ装置３に送信される。また、携帯端末１は、センタ装置３から受信する位置情報要求コマンドに応答して位置情報をセンタ装置３に送信する。
【００１３】
また、携帯端末１は、動作モードとして監視モードと解除モードとを備えている。監視モードとは、携帯端末１を携行する移動体５０の移動を監視するモードである。解除モードとは監視モードが解除されている状態である。携帯端末１は、動作モードが監視モードに設定されると、所定間隔（例えば１分）毎に位置情報を取得して、この位置情報の変化を監視することにより携帯端末１を携行する移動体５０の盗難等の異常を検知して、異常信号をセンタ装置３に送信する。
【００１４】
センタ装置３は、携帯端末１から受信した位置情報や異常信号を管理する装置である。センタ装置３は、警備保障会社等の監視センタ２に設置され、複数の対象に位置確認のサービスを提供する組織により管理運営される。監視センタ２では、携帯端末１を携行する移動体５０に何らかの対処が必要だと判断した場合に、センタ装置３から所定の対処員に対象移動体５０への適切な対処を指示する。
また、センタ装置３は、電話・ＦＡＸ・インターネット等を介して携帯端末１の利用者から携帯端末１の位置確認要求を受けると、該当する携帯端末１に位置要求コマンドを送信する。位置要求コマンドに応答して携帯端末１から位置情報を受信すると、この受信した位置情報に基づいて、携帯端末１の現在位置、又は移動履歴を利用者に出力する。
【００１５】
次に、携帯端末１の構成を説明する。図２は、携帯端末１の機能ブロックを示す図である。
携帯端末１は、無線通信部１０、操作部１４、記憶部１５、制御部１６を含んで構成される。
無線通信部１０は、ＧＰＳ衛星６からのＧＰＳ信号を受信するＧＰＳ受信部１３、携帯電話基地局４からの基地局情報を受信する基地局情報受信部１２、及び、携帯電話基地局４及び通信網５を介してセンタ装置３との通信を行う通信部１１を含んで構成される。
操作部１４は、利用者が携帯端末１を監視モードとするセット動作やそれを解除する解除動作を行うための入力手段である。なお、この操作部１４は、携帯端末１と別体に構成されて、携帯端末１と接続して使用するようにしてもよい。
記憶部１５は、ＲＯＭやＲＡＭ等からなり、処理に用いる各種情報を記録する。また、記憶部１５は、携帯端末１の位置情報を記録するテーブルとして、図４に示すような位置テーブルを記憶している。
【００１６】
制御部１６は、マイクロプロセッサや半導体メモリなどからなり、携帯端末１全体の制御を行う。
制御部１６は、無線通信部１０にて受信した情報に基づき位置情報を取得する位置検出部１７と、位置情報の良否を判定する良否判定部１８と、位置情報の変化に基づき移動の有無を判定する移動判定部１９とを含んで構成される。
制御部１６は、通信部１１を介してセンタ装置３からの位置情報要求コマンドを受信すると、携帯端末１の位置情報を取得してセンタ装置３に送信する。
また、制御部１６は、操作部１４によるセット動作に基づき監視モードに設定される。制御部１６は、監視モードに設定されると、後述する各部の動作により携帯端末１の位置を監視して携帯端末１を携行する移動体５０に盗難などの異常が発生したか否かを判定する。
【００１７】
位置検出部１７は、無線通信部１０を介してＧＰＳ衛星６からの情報や通信可能な携帯電話基地局４からの情報を得て、この取得した情報から携帯端末１の現在位置を示す位置座標を算出して位置情報を取得する。
位置検出部１７は、ＧＰＳ衛星６からの情報や通信可能な携帯電話基地局４からの情報を、所定のタイミングで無線通信部１０を介して受信して、受信したＧＰＳ信号が何個、携帯電話基地局情報が何個であるか等を把握する。このとき、受信したＧＰＳ信号が３個以上でなくとも、位置検出部１７は携帯電話基地局情報をＧＰＳ信号と相互補完的に用いることにより３点測量等の原理に基づいて携帯端末１の現在位置を算出する。また、位置検出部１７は、位置の算出に使用したＧＰＳ衛星６・携帯電話基地局４の数や配列などから位置情報に誤差範囲を設定する。位置情報に誤差範囲を設定する方法は、従来より知られたものであり、種々の実現方法が提案されている。したがって、ここでの詳細な説明は省略する。
位置検出部１７は、算出された現在位置、測位時刻、誤差範囲などを位置情報として記憶部１５に出力する。
記憶部１５では位置検出部から入力された位置情報を位置テーブルに記録する。
【００１８】
なお、現在位置の算出は、図示しない外部の測位サーバにて行う構成としてもよい。この場合、位置検出部１７が取得したＧＰＳ情報や基地局情報を通信部１１を介して図示しない外部の測位サーバに送信する。測位サーバでは、受信した情報に基づいて携帯端末１の現在位置を算出して、携帯端末１に送信する。携帯端末１の位置検出部は、測位サーバから受信した位置に基づき位置情報を得る。
【００１９】
位置情報に含まれる現在位置、すなわちＧＰＳ情報や基地局情報から算出された位置は、無線通信部１０にて情報を受信できるＧＰＳ衛星６や携帯電話基地局４が極端に少ない場合や、情報を取得するＧＰＳ衛星６や携帯電話基地局４が瞬間的に切り替わった場合、または信号化けが発生した場合などに、現実の存在位置から大きく離れた位置となることが稀にある。
良否判定部１８は、記憶部１５の位置テーブルに基づき、位置検出部１７にて取得した位置情報に含まれる現在位置が、正常に測位されたもの（ＯＫ）か誤って測位され現実の存在位置から大きく離れたもの（ＮＧ）であるかどうかを判定する。判定結果は、記憶部１５に出力され良否判定フラグとして位置テーブルに記憶される。
【００２０】
移動判定部１９は、操作部１４のセット動作により携帯端末１が監視モードに設定されたときに動作する。移動判定部１９は、位置検出部１７又は記憶部１５の位置テーブルから、携帯端末１の位置情報を取得する。そして、移動判定部１９は、取得した位置情報のうち良否判定部１８にて正常（ＯＫ）と判定された位置情報に基づいて携帯端末１を携行する移動体５０に盗難などの異常が発生したか否か判定する。異常が発生していると判定された場合には、移動判定部１８は、通信部１３を介してセンタ装置３に異常信号を送信する。
【００２１】
次に、センタ装置３の構成を説明する。図３は、センタ装置３の機能ブロックを示す図である。
センタ装置３は、監視センタ２に設置され、通信部３１、記憶部３２、操作部３３、出力部３４、制御部３５を含んで構成される。
通信部３１は、通信網５及び携帯電話基地局４を介して携帯端末１との通信を行う。
記憶部３２は、ＲＯＭやＲＡＭ等からなり、処理に用いる各種情報や携帯端末１の位置情報等を記録する。
操作部３３は、監視センタ２のセンタ員がセンタ装置３に対して入力操作を行うデバイスであり、キーボードやマウス等で構成される。
出力部３４は、携帯端末１の現在位置、移動軌跡、異常有無等を図示しないディスプレイやＷＥＢサーバ等に出力する手段である。この出力部３４は、携帯端末１から受信した位置情報の良否判定フラグを参照して「ＯＫ」となっているもの、すなわち正常に測位された位置情報３４のみを出力する。
制御部３５は、マイクロプロセッサや半導体メモリなどからなり、センタ装置３全体の制御を行う。
【００２２】
センタ装置３は、電話・ＦＡＸ・インターネット等を介して利用者から携帯端末１の位置確認要求を受けると、該当する携帯端末１に通信部３１から位置要求コマンドを送信する。
そして、該当する携帯端末１から位置情報を受信すると、出力部３４により正常に測位された位置情報を出力する。監視センタ２では、この出力された位置情報に基づいて該当する携帯端末１の現在位置、移動履歴などを利用者に出力する。
【００２３】
また、センタ装置３は、携帯端末１から異常信号を受信すると、異常信号に含まれる位置情報、異常内容を出力する。監視センタ２のセンタ員は出力された情報を参照して、対処員に携帯端末１を携行する移動体５０の捜索等の指示を行う。
【００２４】
本発明の位置情報監視システムは、上述のような携帯端末１とセンタ装置３とから概略構成されている。
以下、上述の構成を踏まえて、本発明の位置情報監視システムの動作を説明する。
【００２５】
まず、本発明の位置情報監視システムにおける位置情報の良否判定動作を説明する。
図５は良否判定部１８による位置情報の良否判定動作を示すフローチャートである。
図６は、図４に示される位置テーブル内の位置情報Ａ〜Ｄの相互関係を示す模式図である。図６において、十字印で示されるポイント位置Ａ〜Ｄは、各々の位置情報に含まれる位置座標を示している。
【００２６】
良否判定部１８は、位置検出部１７が新しい位置情報を取得すると（ステップＳ１００―Ｙｅｓ）、記憶部１５の位置テーブルを参照し、直前回に取得した位置情報は過去所定時間（例えば１２時間）以内の情報であるか否かを判別する（ステップＳ１０１）。直前回に取得した位置情報が過去所定時間以内の情報であれば（ステップＳ１０１−Ｙｅｓ）、最新の位置情報と直前回の位置情報とを比較して各々の位置と時刻とから両位置間の携帯端末１の移動速度を算出する。そして、算出された移動速度がしきい値よりも低い場合（ステップＳ１０２−Ｙｅｓ）、最新の位置情報は正常に測位された情報（ＯＫ）であると判定し（ステップＳ１０３）、判定結果を記憶部１５に出力する（ステップＳ１０４）。記憶部１５は入力された判定結果を位置テーブルに記憶する。
【００２７】
また、ステップＳ１０２において、算出された移動速度がしきい値よりも高い場合は（ステップＳ１０２−Ｎｏ）、ステップＳ１０５に進む。
なお、位置テーブルに過去所定時間以内の位置情報が記録されていない場合（ステップＳ１０１−Ｎｏ）、比較対照とすべき位置情報がないため、最新の位置情報は正常に測位された情報（ＯＫ）であると判定する（ステップＳ１０３）。
【００２８】
良否判定部１８は、ステップ１０２の処理により、単位時間あたりの移動速度が現実的な速度であるか否かを判別している。したがって、上述の判定に用いられるしきい値は、移動体の移動速度の上限として考慮される適切な値に設定される。例えば、車両の速度として考慮できる１５０ｋｍ／ｈ、又は、新幹線の速度として考慮できる５００ｋｍ／ｈなどである。本例では、移動速度のしきい値を５００Kｍ／ｈに設定する例について説明する。
【００２９】
図６において、例えば、最新の位置情報がポイント位置Ｃであるとする。良否判定部１８は、ポイント位置Ｃと、このポイント位置Ｃに対し直前回の位置情報となるポイント位置Ｂとを比較して携帯端末１の移動速度を算出する。Ｃ−Ｂ間の距離は２００００m、測位時間間隔は１分であるので、移動速度は１２００Kｍ／ｈとして得られる。良否判定部は、Ｃ−Ｂ間の移動速度はしきい値（５００Kｍ／ｈ）を超えていると判定する。
【００３０】
再び図５に戻って説明する。最新の位置情報と直前回の位置情報とを比較したとき、直前回の位置情報が誤った位置を含んでいた場合には、最新の位置情報が正確な位置を含んだものであっても、最新の位置情報と直前回の位置情報との間の移動速度（距離／時間）が異常な値となってしまい最新の位置情報が誤っていると誤判定される可能性がある。そこで、最新の位置情報と直前回の位置情報とを比較した結果、両位置間の移動速度がしきい値よりも高い場合、良否判定部１８は、更に、当該最新の位置情報を前々回の位置情報と比較する処理を行う。
【００３１】
そのため、最新の位置情報と直前回の位置情報とを比較した結果、両位置間の移動速度がしきい値よりも高い場合（ステップＳ１０２−Ｎｏ）、まず、記憶部１５の位置テーブルを参照し、過去所定時間（例えば１２時間）以内に前々回に取得した位置情報が存在するか否かを判別する（ステップＳ１０５）。前々回に取得した位置情報が、過去所定時間以内の情報であれば（ステップＳ１０５−Ｙｅｓ）、最新の位置情報と前々回の位置情報とを比較して各々の位置と時刻とから両位置間の携帯端末１の移動速度を算出する。
そして、算出された移動速度がしきい値よりも低い場合（ステップＳ１０６−Ｙｅｓ）、最新の位置情報は正常に測位された情報（ＯＫ）であると判定し（ステップＳ１０３）、判定結果を記憶部１５に出力する（ステップＳ１０４）。記憶部１５は入力された判定結果を位置テーブルに記憶する。
【００３２】
また、ステップＳ１０６において、算出された移動速度がしきい値よりも高い場合は（ステップＳ１０６−Ｎｏ）、最新の位置情報は誤っている（ＮＧ）と判定し（ステップＳ１０７）、判定結果を記憶部１５に出力する（ステップＳ１０４）。記憶部１５は入力された判定結果を位置テーブルに記憶する。
なお、過去所定時間以内に前々回の位置情報を取得していない場合（ステップＳ１０５−Ｎｏ）、比較対照とすべき位置情報がないため、ステップ１０２の判定結果をもって最新の位置情報は誤っている（ＮＧ）と判定する（ステップＳ１０７）。
【００３３】
したがって、図６におけるポイント位置Ｃの場合、直前回の位置情報であるポイント位置Ｂとの間の移動速度がしきい値以上であるため、良否判定部１８は、続いてポイント位置Ｃと、このポイント位置Ｃに対し前々回の位置情報となるポイント位置Ａとを比較する。Ｃ−Ａ間の距離は２００５０m、測位時間間隔は２分であるので、移動速度は６０１．５Kｍ／ｈとして得られる。良否判定部１８は、Ｃ−Ａ間の移動速度がしきい値（５００Kｍ／ｈ）を超えていると判定する。
そして、良否判定部１８は、最新の位置情報であるポイント位置Ｃを直前回及び前々回の位置情報と比較した結果、何れとも異常な位置関係となる誤った位置情報（ＮＧ）であると判定し、判定結果を記憶部１５に出力する。記憶部１５は入力された判定結果を位置テーブルに記憶する。
【００３４】
次に、図６において、位置検出部１７が新しい位置情報を取得して、最新の位置情報がポイント位置Ｄとして得られた場合について説明する。
まず、良否判定部１８は、ポイント位置Ｄを、直前回の位置情報となるポイント位置Ｃとを比較する。Ｄ−Ｃ間の距離は２００１０m、測位時間間隔は１分であるので、移動速度は１２００．６Kｍ／ｈとして得られる。良否判定部１８は、Ｄ−Ｃ間の移動速度はしきい値（５００Kｍ／ｈ）を超えていると判定する。
良否判定部１８は、続いてポイント位置Ｄを、前々回の位置情報となるポイント位置Ｂとを比較する。Ｄ−Ｂ間の距離は１０m、測位時間間隔は２分であるので、移動速度は０．３Kｍ／ｈとして得られる。良否判定部１８は、Ｄ−Ｂ間の移動速度はしきい値（５００Kｍ／ｈ）以下と判定する。
そして、最新の位置情報であるポイント位置Ｄは、前々回の位置情報と正常な位置関係にあるため、良否判定部１８は最新の位置情報は正常（ＯＫ）であると判定し、判定結果を記憶部１５に出力する。記憶部１５は入力された判定結果を位置テーブルに記憶する。
【００３５】
次に、本発明の位置情報監視システムにおける携帯端末１の移動判定動作を説明する。
図７は携帯端末１の移動判定動作を示すフローチャートである。
図８は、誤差範囲の相互関係を示す模式図である。
【００３６】
携帯端末１は、操作部のセット動作により監視モードにされると（ステップＳ２００−Ｙｅｓ）、位置検出部１７により位置情報を取得する（ステップＳ２０１）。この位置情報の良否判定フラグが「ＯＫ」であれば（ステップＳ２０２−Ｙｅｓ）、当該位置情報を監視開始位置情報として位置テーブルに記録して（ステップＳ２０３）、位置情報の監視を開始する。他方、良否判定フラグが「ＮＧ」であれば、再度位置情報を取得する（ステップＳ２０２−Ｎｏ）。また、操作部１４の解除動作の検知すると（ステップＳ２０４−Ｙｅｓ）、監視を終了してこのフローを抜ける。
監視が開始されると、図示しない計時手段により前回位置情報を取得してから所定時間（例えば１分）が経過したかを確認する（ステップＳ２０５）。所定時間を経過すると（ステップＳ２０５−Ｙｅｓ）、位置検出部１７により最新の位置情報を取得する（ステップＳ２０６）。この最新の位置情報の良否判定フラグが「ＮＧ」であれば（ステップＳ２０７−Ｎｏ）、ステップＳ２０４に戻る。
他方、最新の位置情報の良否判定フラグが「ＯＫ」であれば（Ｓ２０７−Ｙｅｓ）、当該最新の位置情報と監視開始位置情報とを比較する（ステップＳ２０８）。ここでは、監視開始時の位置情報に含まれる位置の誤差範囲と、最新の位置情報に含まれる位置の誤差範囲とが互いに重なっているか離れているかを判定する。
【００３７】
図８において、例えばポイント位置Ａが監視開始時の携帯端末１の位置、ポイント位置Ｂが最新の携帯端末１の位置として算出されたものであるとする。ポイント位置Ａの誤差範囲が３０ｍ（円５００）、ポイント位置Ｂの誤差範囲が３０ｍ（円５１０）であれば、これら互いの誤差範囲に重複する領域（領域５２０）がある（ステップＳ２０８−Ｙｅｓ）。このときは、携帯端末１が移動していないと判定しステップＳ２０４に戻る。すなわち、携帯端末１の現実の存在位置が誤差範囲が重複する領域（領域５２０）上である場合、位置情報の取得状況によって携帯端末１の位置がポイント位置Ａ及びポイント位置Ｂの何れにも判定される可能性がある。そのため、誤差領域が重複している場合は、携帯端末１が移動していない可能性があるので、移動の判定を行わないようにしている。
【００３８】
他方、ポイント位置Ａの誤差範囲が３０ｍ（円５００）、ポイント位置Ｂの誤差範囲が５ｍ（円５１１）であれば、誤差範囲の重複がないので（ステップＳ２０８−Ｎｏ）、携帯端末１が移動したと判定してステップＳ２０９に進む。ステップＳ２０９において、監視中の携帯端末１が移動したということは、携帯端末１を携行する移動体５０が盗難された可能性を示すものであるため、異常発生と判定して異常信号をセンタ装置３に送信する。異常信号は、位置テーブルに記録された位置情報を含んでいる。監視センタ２では、センタ装置３が受信した異常信号に基づき現場へ対処員を急行させたり、携帯端末１の利用者に連絡する等の適切な対応をとることができる。
【００３９】
したがって、このように構成され動作する位置情報監視システムによれば、最新の位置情報を直前回または前々回の位置情報と比較するだけで位置情報の良否を判定することができ、正常に測位された位置情報であるか否かを単純かつ高速に判定することができる。
【００４０】
また、最新の位置情報と直前回の位置情報との比較のみで位置情報の良否を判定すると、最新の位置情報が正常に測位されたものであっても、直前回の誤って測位された情報によって間違った良否判定をしてしまう可能性があるが、本位置情報監視システムによれば、最新の位置情報を直前回の位置情報と比較して互いに異常な位置関係にあると判定された場合には、更に前々回の位置情報とも比較する構成としたので、誤って測位された１つの位置情報によって以降の正常に測位された位置情報が間違った良否判定をされてしまうことが防止でき、位置情報の良否を精度よく判定することができる。
また、これにより、本位置情報監視システムのように間欠的に測位される位置情報から移動体５０の盗難等を検出する場合には、位置情報の良否が間違って判定されることに起因した誤報や失報を低減することができる。
【００４１】
なお、現実の存在位置から大きく離れた位置を誤って測位してしまうことは非常に稀である。そのため、本実施の形態では、２回連続で誤った測位を行うことはないものとして、過去２回分（直前回及び前々回）の位置情報から最新の位置情報の良否を判定するようにしている。しかしながら、位置情報を測位する状況によっては複数回連続で誤った測位をしてしまう可能性もゼロではない。したがって、測位する状況によって３回分以上の過去の位置情報を用いて良否判定を行うようにしてもよい。
【００４２】
また、本実施形態では、監視モード中の携帯端末１の移動を検知して異常信号を出力する構成となっていたが、これに限られるものではなく、携帯端末１が予め設定された移動禁止エリアに移動したことを位置情報に基づき検知して異常信号を出力するようにしてもよい。この場合、移動判定部１９は、良否判定部１８によりＯＫと判定された位置情報に基づき、移動禁止エリアへの移動を判定する。
【００４３】
さらに、本実施形態では、携帯端末１にて位置情報の良否を判定し移動の有無を判定する構成となっていたが、これらの処理はセンタ装置３にて行うようにしてもよい。
この場合、本実施形態において携帯端末１が備える良否判定部１８と移動判定部１９をセンタ装置３に備えさせる。携帯端末１は、操作部１４のセット動作により監視モードに設定されると、監視設定信号をセンタ装置３に送信し、以後所定時間毎に位置情報をセンタ装置３に送信する。センタ装置３は監視設定信号を携帯端末１から受信すると当該携帯端末１の位置監視を開始して、受信する位置情報の良否を判定し、正常に測位されている位置情報により携帯端末１の移動の有無を監視する。また、センタ装置３は、携帯端末１から操作部１４の解除動作に基づく解除信号を受信すると、携帯端末１の監視を終了する。
【図面の簡単な説明】
【００４４】
【図１】本発明の位置情報監視システムの全体構成を示す図
【図２】携帯端末の機能ブロックを示す図
【図３】センタ装置の機能ブロックを示す図
【図４】位置テーブルを示す図
【図５】位置情報の良否判定動作を示すフローチャート
【図６】図４に示される位置テーブル内の位置情報Ａ〜Ｄの相互関係を示す模式図
【図７】携帯端末の移動判定動作を示すフローチャート
【図８】誤差範囲の相互関係を示す模式図
【符号の説明】
【００４５】
１・・・携帯端末
２・・・監視センタ
３・・・センタ装置
４・・・携帯電話基地局
５・・・通信網
６・・・ＧＰＳ衛星
【図１】
2005107876.tif 000003
【図２】
2005107876.tif 000004
【図３】
2005107876.tif 000005
【図４】
2005107876.tif 000006
【図５】
2005107876.tif 000007
【図６】
2005107876.tif 000008
【図７】
2005107876.tif 000009
【図８】
2005107876.tif 000010